(57)【要約】ターニケット装置（１４００）は、外向き面（１４０７）および内向き面（１４０８）を有するターニケットストラップ（１４０４）を含む。外向き面は、複数のフックファスナ（１４１０）によって被覆されており、内向き面（１４０８）は、複数のループファスナ（１４２３）、第１端部（１４１２）および第２端部（１４１４）を設けた部分を有する。第１端部は、バックル（１４１６）を備え、第２端部（１４１４）は孔部（１４２４）を有する。また、固定ストラップは、孔部内に収容されるように構成する。固定ストラップ（１４０６）は、プルタブ（１４２８）を含む終端部（１４２６）を含む。固定ストラップは、収容位置および展開位置に選択的に配置されるように構成する。【選択図】図１
2018502014.tif 000002
【特許請求の範囲】
【請求項１】
ターニケット装置であって、ターニケットストラップおよび固定ストラップを備え、
前記ターニケットストラップが、
・複数のフックファスナによって被覆される外向き面、および複数のループファスナを設けた部分を含む内向き面と、
・バックルを備える第１端部、および孔部を備える第２端部と、
を備え、
前記固定ストラップが、孔部内に収容されるように構成され、プルタブを含む終端部を備えると共に、収容位置および展開位置に選択的に配置されるように構成される、ターニケット装置。
【請求項２】
請求項１に記載のターニケット装置であって、前記固定ストラップが収容位置に配置されるとき、前記ターニケットストラップは第１全長を有し、また、前記固定ストラップが展開位置に配置されるとき、前記ターニケットストラップは第２全長を有し、前記第１全長が第２全長よりも短い、ターニケット装置。
【請求項３】
請求項２に記載のターニケット装置であって、前記固定ストラップの外側表面は、複数のループファスナを有する部分を含む、ターニケット装置。
【請求項４】
請求項２に記載のターニケット装置であって、前記ターニケットストラップおよび固定ストラップは、弾性材料から組み立てられる、ターニケット装置。
【請求項５】
請求項２に記載のターニケット装置であって、更に、サーフリーシュを受容するインタフェースを備える、ターニケット装置。
【請求項６】
請求項２に記載のターニケット装置であって、前記インタフェースは、外向き面上に配置される、ターニケット装置。
【請求項７】
ターニケット装置であって、
複数のフックファスナによって被覆される外向き面、および複数のループファスナを設けた部分を含む内向き面と、
バックルを備える第１端部、および第２端部と、
前記第２端部内に収容されるように構成され、収容位置および展開位置に選択的に配置されるように構成される固定ストラップと、
を備え、
ターニケットストラップは、
・固定ストラップを前記バックルに貫通させ、
・前記固定ストラップを、前記バックルを通じてループさせ、および
・肢体からの失血を防ぐために前記固定ストラップを、肢体を中心に包囲することによって、個人の肢体に圧力を印加するように構成される、ターニケット装置。
【請求項８】
請求項７に記載のターニケット装置であって、前記固定ストラップが収容位置に配置されるとき、前記ターニケットストラップは第１全長を有し、また、前記固定ストラップが展開位置に配置されるとき、前記ターニケットストラップは第２全長を有し、前記第１全長が第２全長よりも短い、ターニケット装置。
【請求項９】
請求項７に記載のターニケット装置であって、前記固定ストラップの外側表面は、複数のループファスナを有する部分を含む、ターニケット装置。
【請求項１０】
請求項７に記載のターニケット装置であって、前記ターニケットストラップおよび固定ストラップは、弾性材料から組み立てられる、ターニケット装置。
【請求項１１】
請求項７に記載のターニケット装置であって、更に、サーフリーシュを受容するインタフェースを備える、ターニケット装置。
【請求項１２】
請求項１１に記載のターニケット装置であって、前記インタフェースは、外向き面上に配置される、ターニケット装置。
【請求項１３】
請求項７に記載のターニケット装置であって、更に、前記固定ストラップの終端部に関連付けられるプルタブを備える、ターニケット装置。
【請求項１４】
請求項７に記載のターニケット装置であって、前記固定ストラップの外側表面は、複数のループファスナを有する部分を含み、前記複数のループファスナは、前記ターニケットストラップの複数のフックファスナに固定されて、前記ターニケット装置を肢体の周囲に維持することにより失血を防ぐ、ターニケット装置。
【請求項１５】
ターニケット装置であって、ターニケットストラップおよび固定ストラップを備え、
前記ターニケットストラップが、
・複数のフックファスナによって被覆される外向き面、および複数のループファスナを設けた部分を含む内向き面と、
・バックルを備える第１端部、および孔部を備える第２端部と、
を備え、
前記固定ストラップが、孔部内に収容されるように構成され、プルタブを含む終端部を備えると共に、収容位置および展開位置に選択的に配置されるように構成され、
前記固定ストラップが収容位置に配置されるとき、前記ターニケットストラップは第１全長を有し、また、前記固定ストラップが展開位置に配置されるとき、前記ターニケットストラップは第２全長を有し、前記第１全長が第２全長よりも短い、ターニケット装置。
【請求項１６】
請求項１５に記載のターニケット装置であって、前記固定ストラップの外側表面は、複数のループファスナを有する部分を含む、ターニケット装置。
【請求項１７】
請求項１５に記載のターニケット装置であって、前記ターニケットストラップおよび固定ストラップは、弾性材料から組み立てられる、ターニケット装置。
【請求項１８】
請求項１５に記載のターニケット装置であって、更に、サーフリーシュを受容するインタフェースを備える、ターニケット装置。
【請求項１９】
請求項１５に記載のターニケット装置であって、前記インタフェースは、外向き面上に配置される、ターニケット装置。
【発明の詳細な説明】
【関連出願の相互参照】
【０００１】
本願における開示の一部は、著作権保護の対象となる内容を含む。著作権者は、特許商標庁の特許ファイルまたは記録に記載されているとおりの第三者による特許文書または特許開示の複写に異論はないが、それ以外の点においては全ての著作権を留保する。
【０００２】
本願は、２０１３年１２月５日に出願された米国特許仮出願第６１／９１２４６０号の優先権を主張する２０１４年１２月５日に出願された国際出願ＰＣＴ／ＵＳ２０１４／０６８６７５号の一部継続出願であり、その全体を、そこに引用される任意の参考文献を含めて、参照により本明細書に組み込む。
【技術分野】
【０００３】
本発明は、サーフボードアクセサリに関しており、特に、サーフボードを保持するためのサーフボードアクセサリに関するが、これらに限定されない。また、本発明は、サーフボードアクセサリの操作方法にも関する。更に、本発明は、サーフボードアクセサリの製造方法に関する。代替的または付加的に、本発明は、限定されないが、軍事用途およびウォータースポーツ用途等の１つ以上の用途における、医療的緊急事態のためのアクセサリと、そのようなアクセサリの操作方法とに関する。
【背景技術】
【０００４】
サーフボードのリーシュは、サーフボードを保持するために使用されるサーフボードのアクセサリである。リーシュは、典型的にウレタンから製造した紐を有する。その紐は、一端がフックおよびループカフ（Velcro（登録商標））によってサーファーの足首に取り付け可能であり、他端はサーフボード上のファスナに取り付け可能である。サーフボードのリーシュにより、サーファーは、海においてボードを保持し、かつ、その紛失を防ぐことができる。これは、ボードの紛失によりサーファーが危険に陥り得る大波でのサーフィン時や、ボードの紛失により近隣の他のサーファーやスイマーに危害が及び得る混雑した場所でのサーフィン時に有利である。
【０００５】
サーフボードの保持に使用するための、改善されたサーフボードアクセサリの提供が必要である。
【０００６】
代替的または付加的に、軍事用途、ウォータースポーツまたはその他の用途における医療的緊急事態のための、改善されたアクセサリの提供が必要である。
【発明の概要】
【０００７】
一態様によると、サーフボードアクセサリを提供する。サーフボードアクセサリは、サーフボードリーシュカフバンドを含むことができる。このカフバンドは、本体部分と、カフバンドを閉鎖するために本体部分上に載置される、サーファーの足首を包囲するループ状の閉鎖装置とを備える。サーフボードリーシュカフバンドにターニケットアセンブリを一体化する。ターニケットストラップ収容部品は、カフバンド上に載置し、かつ、ターニケットアセンブリの少なくとも一部を取り外し可能に収容するように配置することにより、ターニケットアセンブリの一部が収容されるとき、サーフボードリーシュカフバンドは、閉鎖装置によって足首の周囲を閉鎖可能となり、ターニケットアセンブリによって妨害されることなく、サーフボードを保持するよう操作することができ、また、ターニケットストラップアセンブリが収容部分から除去されると、サーフボードアセンブリは、手足における大量の流血を制御するためのターニケットとして配置される。
【０００８】
サーフボードのリーシュカフバンドと、ターニケットとの両者を１つの継ぎ目のない装置に組み合わせることによって、サーフボードアクセサリは、サーフボードをサーファーに固定可能とするだけでなく、人命救助装置としても使用することができる故、技術的利点および人命救助における利点、並びに心理的利点をもたらす。
【０００９】
別の態様によれば、サーフボードリーシュカフバンドと、カフバンドに一体化したターニケットアセンブリとを有するサーフボードアクセサリを提供する。カフバンドは、本体部分と、カフバンドを閉鎖するために本体部分上に載置され、サーファーの足首を包囲するループ状の閉鎖装置とを備える。ターニケットアセンブリは、ターニケットストラップおよびストラップ緊張装置を備える。ターニケットストラップの一部は、ストラップを手足を包囲するループ状に固定することができるように、カフバンド体の長さを超えて横に伸長可能であり、また、ストラップ緊張装置によって締結されることにより、手足における極度の流血を停止または制御する。ターニケットストラップ収容部品は、カフバンド上に載置され、折り畳み構成において、少なくともターニケットストラップの一部をカフバンド上に取り外し可能に収容するように配置する。ここに、ターニケットストラップ部分がそのように収容されている場合、サーフボードリーシュカフバンドを足首の周囲に閉鎖装置によって閉鎖することができ、かつ、ターニケットアセンブリによって妨害されることなく、サーフィンを続けるよう操作することができる。また、ターニケットストラップの一部が収容部品から取り外された場合、サーフボードアクセサリは、手足における極度の流血を制御するためのターニケットアセンブリとして操作可能となる。
【００１０】
更なる態様によれば、サーフボードアクセサリを組み立てるための部品のキットを提供する。部品のキットは、カフバンドが本体部分と、カフバンドを閉鎖するために本体部分上に載置される、サーファーの足首を包囲するループ状の閉鎖装置とを備える、サーフボードのリーシュカフバンドと、ストラップ緊張装置と、その一部が、ストラップを手足を包囲するループ状に固定することができるようにカフバンド体の長さを超えて横に伸長可能であり、また、ストラップ緊張装置によって締結されることにより、手足における極度の流血を停止または制御するターニケットストラップと、カフバンド上に載置可能であり、折り畳み構成において、少なくともターニケットストラップの一部をカフバンド上に取り外し可能に収容するように配置することで、ターニケットストラップにより妨害されることなく、サーフボードのリーシュカフバンドを足首の周囲に閉鎖装置によって閉鎖することができるターニケットストラップ収容部品と、を備えることができる。組立時において、少なくともターニケットストラップ部分がそのように収容される場合、サーフボードアクセサリは、サーフボードリーシュカフバンドとして操作可能となる。また、ターニケットストラップの一部が収容部品から取り外された場合、サーフボードアクセサリは、手足における極度の流血を制御するためのターニケットアセンブリとして操作可能となる。
【００１１】
別の態様によれば、上述したサーフボードアクセサリの操作方法を提供する。
【００１２】
更に別の態様によれば、上述したサーフボードアクセサリの製造方法を提供する。
【００１３】
上述した態様において、ターニケットストラップアセンブリは、一実施例において、片手式の自己適用ターニケットアセンブリであってもよい。
【００１４】
上述した態様のいくつかの実施形態において、サーフボードリーシュカフバンド、ターニケットストラップ、ターニケットカフまたはそれらの任意の組み合わせは、典型的にシートベルトウェビングにおいて使用させるようなウェビング材料である。ウェビングは、ポリエステルウェビングまたは限定されないがナイロン等の合成ポリマーから製造されるか合成ポリマーを含むウェビングであることができる。
【００１５】
いくつかの実施形態によれば、当技術は、（ａ）ある長さおよび長手方向軸を有する第１帯状材と、（ｂ）第１端部および第２端部を有する第２帯状材であって、第１端部および第２端部は第１帯状材に取り付けられ、第２帯状材は第１帯状材を被覆し、かつ第１帯状材の長手方向軸に沿って延在し、第１帯状材および第２帯状材は、個人の肢体（手足など）を包囲するように構成されるループを形成する第２帯状材と、（ｃ）ループの直径が減少するようにウインドラス装置を回転して肢体を加圧することにより、第２帯状材に連結されるウインドラス装置と、を備えるターニケット装置に関する。
【００１６】
別の実施形態によれば、本発明は、（ａ）ベルトの内側ポケットに配置される連続する帯状材を有するベルトであって、少なくともその内部のベルトの長さの一部を受容する外側ポケットを備えるベルトと、（ｂ）ベルトにおける開口部を通じて連続する帯状材に連結されるウインドラス装置と、（ｃ）ウインドラス装置に近接して配置されるウインドラス固定部材と、を備え、ウインドラス装置を巻いて、連続する帯状材の直径を減少させ、またウインドラス装置の一部をウインドラス固定部材に係止してウインドラス装置の巻出しを予防する、ターニケット装置に関する。
【００１７】
いくつかの実施形態によれば、本発明は、（ａ）ユーザの肢体を包囲するように構成されるベルト部分であって、プルタブに関連付けられる一部がベルト部分内に形成されるポケット内に配置可能であるベルト部分と、（ｂ）ベルト部分に関連付けられる膨張式チューブと、（ｃ）膨張式チューブに連結されるポートと、（ｄ）リーシュを受容するためのインタフェースと、を備えるターニケット装置に関する。
【００１８】
いくつかの実施形態によれば、本発明は、（ａ）ベルトの内側ポケットに配置される連続する帯状材を有するベルトであって、少なくともその内部のベルトの長さの一部を受容する外側ポケットを備えるベルトと、（ｂ）連続する帯状材にベルトの開口部を通じて連結され、ベルトの直径を減少させるために使用されるラチェットウインドラス装置と、を備えるターニケット装置に関する。
【００１９】
本発明の更に別の態様において、任意の１つ以上の上述した実施形態を組み立てるための部品のキットを提供する。部品のキットは、特定の装置の部品および任意にボックスまたはバッグ、並びに部品のキットから装置を組み立てるための指示マニュアルを備える。ここに、装置の部品および指示マニュアルは、ボックスまたはバッグにおいて運搬される。
【００２０】
いくつかの態様によれば、上述した実施形態は、個人がターニケットを必要とし得る戦場または軍事的シナリオ用に構成される。本発明の装置は、ターニケットを展開または使用する必要があるまで、肢体の周囲において着用すること、または個人で収容することができる。従って、本発明のいくつかの態様において、この装置は、リーシュまたはテザー用のインタフェースを含む必要はないが、本明細書に記載のいくつかの実施形態はそのようなインタフェースを含む。
【００２１】
本発明の更に別の態様において、ターニケット装置は、（１）複数のフックファスナによって被覆される外向き面と、複数のループファスナを設けた部分を含む内向き面と、（２）バックルを備える第１端部と、孔部を備える第２端部と、を備える（ａ）ターニケットストラップと、（ｂ）孔部内に収容されるように構成され、プルタブを含む終端部を備える固定ストラップであって、収容位置および展開位置に選択的に配置されるように構成される固定ストラップと、を備える。
【００２２】
いくつかの実施形態において、固定ストラップが収容位置に配置されるとき、ターニケットストラップは第１全長を有し、また、固定ストラップが展開位置に配置される場合、ターニケットストラップは第２全長を有し、第１全長は第２全長よりも短い。
【００２３】
固定ストラップの外側表面は、複数のループファスナを有する部分を含むことができる。ターニケットストラップおよび固定ストラップは、弾性材料から組み立てることができる。いくつかの実施形態において、ターニケットストラップは、サーフリーシュを受容するインタフェースを有する。インタフェースは、外向き面上に配置されてもよい。
【００２４】
本発明の更に別の態様において、ターニケット装置は、（ａ）複数のフックファスナによって被覆される外向き面と、複数のループファスナを設けた部分を含む内向き面と、（ｂ）バックルを備える第１端部および第２端部と、（ｃ）第２端部内に収容されるように構成され、収容位置および展開位置に選択的に配置されるように構成される固定ストラップと、
を備え、（ｉ）固定ストラップを収容位置から展開位置に伸長させることによって、（ii）固定ストラップを、バックルを通じてループさせることによって、および（iii）肢体からの失血を防ぐために、固定ストラップで肢体の周囲を包囲することによって、（ｄ）ターニケットストラップは、個人の肢体に圧力を印加するように構成される。
【００２５】
固定ストラップが収容位置に配置されるとき、ターニケットストラップは第１全長を有し、また、固定ストラップが展開位置に配置される場合、ターニケットストラップは第２全長を有し、第１全長は第２全長よりも短い。固定ストラップの外側表面は、複数のループファスナを有する部分を含むことができる。ターニケットストラップおよび固定ストラップは、弾性材料から組み立てることができる。ターニケットストラップは、サーフリーシュを受容するインタフェースを有することができる。インタフェースは、外向き面上に配置されてもよい。ターニケットストラップは、固定ストラップの終端部に関連付けられるプルタブを有することができる。固定ストラップの外側表面は、複数のループファスナを有する部分を含むことができ、複数のループファスナは、ターニケットストラップの複数のフックファスナに固定されて、ターニケット装置を肢体の周囲に維持することにより失血を防ぐ。
【００２６】
更に別の実施形態において、ターニケット装置の上述した態様のうちの１つにおける１つ以上の特徴は、別の上述した態様または実施形態のうちの１つの特徴と結合することができる。
【００２７】
更に別の態様において、ターニケット装置における任意の１つ以上の上述した態様または実施形態を組み立てるための部品のキットを提供する。いくつかの実施形態において、部品のキットは、ターニケット装置および任意にボックスまたはバッグにおける１つ以上の上述した態様／実施形態のうちの上述した要素と、部品のキットから装置を組み立てるための指示マニュアルと、を備える。ここに、該装置の部品および指示マニュアルは、前記ボックスまたはバッグにおいて運搬される。
【図面の簡単な説明】
【００２８】
【図１】一実施形態に従って、カフバンドがループ状に閉鎖しているサーフボード保持操作モードにおけるサーフボードアクセサリの側立面図である。
【図２】図１に示すループを形成するためにカフバンドが閉鎖しかけている状態のサーフボードアクセサリの側立面図である。
【図３】図１に示すように構成され、サーフボードの保持に使用するために、カフバンドがサーファーの足首を中心に閉鎖しているサーフボードアクセサリの側面図である。
【図４】一実施形態に従って、ターニケットカフおよびストラップが完全に伸長している、ターニケット操作モードにおける図１のサーフボードアクセサリの外側平面図である。
【図５】図４に示すように構成されたサーフボードアクセサリの内側平面図である。
【図６】図４および図５において構成されるようなアクセサリを配置して患者の大腿部の周囲にループ状に締結し、緊急事態閉鎖モードにおける緊急事態用ターニケット装置として使用されるサーフボードアクセサリの外側側面図である。
【図７】ターニケット操作モードにおける、図１のサーフボードアクセサリの外側側面図である。
【図８】一実施形態に従ったサーフボードアクセサリの例示的な収容部品の斜視単独図である。
【図９】一実施形態に従ったサーフボードアクセサリの例示的なウインドラスバー係止機構の斜視単独図である。
【図１０】本発明の別の実施形態に従って構成したターニケット装置の斜視図である。
【図１１】伸長位置にハンドルを有するターニケット装置の斜視図である。
【図１２】係止モードにおける、図１０および図１１のターニケット装置のハンドルの斜視図である。
【図１３】解除モードにおける、図１０および図１１のターニケット装置のハンドルの斜視図である。
【図１４】本発明の別の実施形態に従って構成したターニケット装置の斜視図である。
【図１５】管状ハウジング内に挿入されるハンドルの斜視図である。
【図１６】管状ハウジングの溝内に噛み合うハンドルの断面図である。
【図１７】本発明の別の実施形態に従って構成された、紐状ハンドルウインドラス装置を有するターニケット装置の斜視図である。
【図１８】管状ハウジングの対向端部へのハンドルの付属物の説明図である。
【図１９】本発明の別の実施形態に従って構成した、ダイヤルウインドラス装置を有するターニケット装置の斜視図である。
【図２０】ダイヤルウインドラス装置の側面図である。
【図２１】本発明の別の実施形態に従って構成した、ウィッシュボーンハンドルウインドラス装置を有するターニケット装置の斜視図である。
【図２２】係止モードにおいて、管状ハウジングに配置される一対のウィッシュボーンハンドルの断面図である。
【図２３】本発明の別の実施形態に従って構成した、自動的に伸長するハンドルと、ハンドルを収容するためのクリップとを有するウインドラス装置を有するターニケット装置の斜視図である。
【図２４】伸長モードにおける、ウインドラスハンドル装置の斜視図である。
【図２５】本発明の別の実施形態に従って構成した、ピンロックを備えるウインドラス装置を有するターニケット装置の斜視図である。
【図２６】伸長位置における図２５のピンロックの説明図である。
【図２７】係止モードにおける、管状ハウジング内の図２４および図２５のピンロックの説明図である。
【図２８】本発明の別の実施形態に従って構成したスライドレールを使用して、ピンにより係止するウインドラス装置を有するターニケット装置の斜視図である。
【図２９】伸長位置または解除位置における、ピンによる係止状態の説明図である。
【図３０】伸長モードまたは解除モードにおける、ターニケット装置上のウインドラス装置の説明図である。
【図３１】本発明の別の実施形態に従って構成した、ピボットアームを含むウインドラス装置を有するターニケット装置の正面図である。
【図３２】伸長位置における、図３１のターニケット装置の正面図である。
【図３３】ウインドラス固定部材に取り付けられるサーフリーシュを示す、図３１および図３２の装置の斜視図である。
【図３４】アームが相互に離れて旋回するウインドラス装置の開口位置を表す、ウインドラス装置の斜視図である。
【図３５】アームが折り畳まれ、かつ入れ子になる、収容モードにおけるウインドラス装置の斜視図である。
【図３６】ウインドラス固定部材の斜視図である。
【図３７】ユーザの肢体の周囲において稼働中の、係止モードに配置されたウインドラス装置の斜視図である。
【図３８】図３１〜図３７のターニケット装置の分解図である。
【図３９】別の実施形態による、逆構成におけるターニケット装置の説明図である。
【図４０】更に別の実施形態に従って、空気圧を利用するターニケット装置の説明図である。
【図４１】更に別の実施形態に従って、ラチェットストラップウインドラス装置を利用するターニケット装置の説明図である。
【図４２】更に別の実施形態に従って、別の形態のラチェットストラップウインドラス装置を利用するターニケット装置の説明図である。
【図４３】本発明の別のターニケット装置の正面立面図である。
【図４４】図４３のターニケット装置の後方立面図である。
【図４５】伸長位置における、図４３および図４４のターニケット装置の正面立面図である。
【図４６】伸長位置における、図４４および図４５のターニケット装置の後方立面図である。
【図４７】肢体からの失血を防ぐために、個人の肢体の周囲において使用中の図４３〜図４６のターニケット装置の斜視図である。
【図４８】着用可能な構成において個人の肢体の周囲において使用中の図４３〜図４６のターニケット装置の斜視図である。
【発明を実施するための形態】
【００２９】
本発明の全体を理解するために、以下の説明においては、非限定的な説明を目的として、特定の実施形態、処置、技術等を詳述する。しかしながら、当業者において、本発明をこれらの特定の詳細とは異なる別の実施形態にて実施できることは、言うまでもない。
【００３０】
本明細書に記載の技術的特徴を使用して、サーフボードアクセサリの多様な実施形態を構成することができる。一アプローチにおいて、サーフボードアクセサリは、サーフボードリーシュ部分と、片手式の自己適用ターニケット等のターニケットとの複合的な組み合わせを含むサーフターニケットである。閉鎖したループ状のウインドラス操作式ターニケットシステムが利用される。ターニケットは、足首に取り付けられるサーフボードリーシュの一部に埋め込まれる。必要時には、リーシュを足首から分離して、埋め込まれたターニケット部分を調整し、腕または脚にフィットさせて極度の流血を停止または制御するために締結することができる。更に、ストラップをねじるためのウインドラスバーまたはその他のストラップ緊張装置を操作して、容易により多い、またはより少ない圧力を印加することができる。
【００３１】
サーフボードリーシュ部分により、サーファーは彼らのサーフボードの制御状態を維持することができ、また、適切に適用される場合、ターニケットは、大量出血を伴う損傷から手足を救うことができる。更に、一実施例において、ターニケットのウインドラス操作により、ユーザは、止血するために片手で周囲圧力を加えることができる。
【００３２】
本明細書において「サーフターニケット」と称する、実施形態のサーフボードアクセサリは、サーフボードリーシュ部分およびターニケットの両者を１つの連続的な装置に融合するものであり、サーフボードをサーファーに固定するだけでなく、救命装置としても使用することができ、これによって、技術的かつ救命における利点だけでなく、心理的利点も提供する。
【００３３】
次に、実施形態の多様な要素を数字表示により示し、かつ、当業者が本発明を実施することができるように実施形態を検討する添付図面を参照する。部品、プロセスステップ、およびその他の要素への特定の言及は、制限することを意図するものではない。更に、言うまでもなく、同様の部分は、代替的な図面について言及する場合、同一の参照数字を有する。更に、図面は概略的なものであり、また当業者に案内するために提供されるものであって、必ずしも正確な縮尺率ではないことに留意すべきである。むしろ、多様な図面の縮尺、アスペクト比、および図面に示す多数の部品は、特定の特徴または関係性を容易に理解することができるように、故意に誇張されている。なお、本明細書における「載置」とは、取り付けられるか、一体化されるか、固定されるか、または結合されることを指す。
【００３４】
添付図面に示す一実施形態を参照すると、図１および図２は、サーフボード保持操作モードにおけるサーフターニケットの側面図を示しており、カフバンドが閉鎖した状態、およびほぼ閉鎖している状態をそれぞれ示している。また、図３は、サーフボード保持操作モードにおけるサーフターニケットの外側側面図を示しており、カフバンド体は、人間であるサーファーの足首１００を中心に結び付けられ、閉鎖している。全体的なアウトラインとして、サーフターニケット１は、サーフボードリーシュカフバンド２と、カフバンドに一体化されたターニケットアセンブリ６〜１１を有する。
【００３５】
図１〜３に示すように、サーフボードリーシュカフバンド２は、第１端部１２と、第１端部１２に対向する第２端部１３を含む本体部分５を有する。図面に示す実施例において、カフバンド体５は、全体的に細長く、平面である構成をしており、中空の長手の内部を有する。別の実施例においては、別の成形された形状を採用してもよい。例えば、カフバンド体５は、限定されないが、剛性ポリマーのナイロン、グローリボン、ゴム紐、ポリエステル、面ファスナ材料または、それらの任意の組み合わせ等のシートまたはストリップ材から製造されてもよい。そのような面ファスナ材料の非限定的な例として、Velcro（オランダ国キュラソー、カストルヴェーク22-24のVelcro Industries B.V. LIMITED LIABILITY COMPANYの登録商標）、または、Omni-tape（オランダ国キュラソー、カストルヴェーク22-24のVelcro Industries B.V. LIMITED LIABILITY COMPANYの登録商標）として既知のスナッグフリーファスナ等の、同一表面上にフックおよびループ織を有する材料である自己係合ファスナ材料が挙げられる。別の実施例において、本体材料は、熱可塑性ポリマーであるか、または熱可塑性ポリマーを含むことができる。例えば、熱可塑性の本体材料は、ポリプロピレンであるか、またはポリプロピレンを含むことができる。
【００３６】
本体５は、必要に応じて、そのような材料の単片または断片として、または材料の断片あるいはストラップの任意の組み合わせとして形成することができる。
【００３７】
一実施形態において、本体５は、典型的に、シートベルトウェビングにおいて使用されるウェビング材料から製造される。ウェビングは、ポリエステルウェビングまたは、限定はされないがナイロン等の合成ポリマーから製造するか、またはそれを含むウェビングであることができる。
【００３８】
それぞれが、一実施形態によるターニケット操作モードに配置された、図１のサーフターニケットの外側および内側側面平面図を示す図４および図５に最も良く示されるように、カフ体５は、外側にほぼ平面かつ長手の外壁１７と、内側にほぼ平面かつ長手の内壁１６とを有する。カフバンド２が足首１００の周囲に配置されると（図３参照）、内壁１６は、足首に面し、外壁１７は、足首から反対方向に面する。
【００３９】
カフバンド体５が足首１００の周囲に結び付けられるとき、カフバンド２が閉鎖装置によって足首の周囲にループ状に閉鎖することができるように、閉鎖装置は、カフ体５上に載置される。例えば、閉鎖装置は、カフバンド体の第１端部１２および第２端部１３を分離可能に相互接続するように構成されるファスナである（図３参照）。
【００４０】
図１〜図３において示すカフバンド２の実施例において、閉鎖装置は、相互に分離可能に取り付けられるように構成される一対の相手部材を備える。実施例において、相手部材は、限定されないが、Velcro（登録商標）面ファスナ等の面ファスナのストリップである。面ファスナは、所望の性能および運動特性に適合するように、ポリエステル、ポリプロピレン、アラミド、ステンレス鋼、またはそれらの任意の組み合わせから製造することができる。１本のホックストリップ３を本体の内壁１６上に本体の第１端部１２において、またはそれに近接して取り付ける。また、相手ループストリップ４を本体の外壁１７に沿って、本体の第２端部１３から延在させて第１端部１２に向けて取り付ける。代替的に、フックストリップは、第２端部１３上および第１端部１２のループストリップ上に配置する。別の実施例において、閉鎖装置は、フックおよびループが第１端部１２および第２端部１３の両者の同一平面上に織られるOmni-tape（登録商標）として既知のスナッグフリーファスナ等の自己係合ファスナから製造される。別の実施形態において、フックおよび／またはループストリップは、スナッピングボタンであってもよい。閉鎖装置の別の実施例として、Velcroや、フックおよびループ配置とは逆に、異なる側面上の端部に雄ボタンおよび雌ボタンを有するスナッピングボタンが挙げられる。閉鎖装置は、任意の形態の既知のファスナ、またはカフバンドを足首の周囲にループ状に分離可能に閉鎖することができる将来的に開発されるファスナであることができる。
【００４１】
サーフボードリーシュのコード取付部２５は、サーフボードリーシュコード２６をカフ体５に分離可能に取り付けるために、サーフボードリーシュカフ体５に固定的に取り付ける。サーフボードリーシュコード２６は、ウレタンコードまたはその他のサーフボードリーシュコード材料であることができる。取付部２５は、カフ体の外壁１７上に、全体的に第１端部１２および第２端部１３の中心に配置される。別の実施例において、リーシュ取付部２５は、本体上の別の位置に配置されてもよく、および／またはリーシュコード２６は、恒久的にカフバンド２に取り付けられる。
【００４２】
次に、ターニケットアセンブリに関してより詳細に言及すると、このアセンブリは、大腿部２００（図６参照）等の手足を中心にループするためのターニケットストラップ６と、ターニケットストラップのループ状の周囲を調整することにより、手足を中心とするストラップのループの緊張を調整するためのターニケットストラップ緊張装置と、を有する。添付図面に示すサーフターニケット１の実施例において、ターニケットアセンブリは、ターニケットストラップ６を長手方向に載置し、かつ被覆するための長手ターニケットカフ１０を有する片手式の自己適合ターニケットである。
【００４３】
長手ターニケットカフ１０は、サーフボードリーシュカフ体５と、カフ体の第２端部１２から横方向に延在する横カフ伸長部９とによって画定される。横カフ伸長部９は、カフバンド２と連続的に一体化しているか、または別個の材料片のいずれかである。横カフ伸長部９は、限定されないが、ナイロン、グローリボン、ゴム紐、合成ポリマー、ポリエステル、面ファスナ材料またはそれらの任意の組み合わせ等の材料のシートから形成する。そのような面ファスナ材料の非限定的な例として、Velcro（登録商標）またはOmni-tape（登録商標）として既知のスナッグフリーファスナ等の同一表面上にフックおよびループ織を有する材料である自己係合ファスナが挙げられる。別の実施例において、材料は熱可塑性ポリマーであるか、または熱可塑性ポリマーを含むことができる。例えば、熱可塑性の本体材料は、ポリプロピレン、Velcro（登録商標）またはそれらの任意の組み合わせであるか、またはそれらを含むことができる。
【００４４】
横カフ伸長部９は、カフ体材料の連続する横方向への伸長部として形成するか、または限定はされないが、例えばステッチングによって一端部がカフ体の第２端部１３に固定的に取り付けられる別個の材料片であってもよい。横カフ伸長部９および本体５は、必要に応じて、単一の長い帯状材として形成されるか、または帯状材または材料の断片の任意の組み合わせによって作成することができる。一実施形態において、横カフ伸長部９は、典型的にシートベルトウェビングにおいて使用されるようなウェビング材料から製造される。ウェビングは、ポリエステルウェビングまたは限定されないがナイロン等の合成ポリマーから製造されるか合成ポリマーを含むウェビングであることができる。
【００４５】
図面において、横カフ伸長部９は、サーフボードカフ体５よりも僅かに狭いが、別の実施例においては、カフ伸長部９は、カフ体５と同一幅であるか、またはそれよりも広くてもよい。
【００４６】
サーフボードリーシュカフ体５および横カフ伸長部９の両者は、端部から端部に相互に並んだ長手の中空の内部を有しており、ターニケットストラップ６が長手に配置される単一の長手の内部スパニングターニケットカフ１０を画定する。
【００４７】
ターニケットストラップ６は、ナイロンまたはその他の好適なターニケットストラップ材料から製造される。ターニケットストラップ６は、第１端部１８と、第１端部１８に対向する第２端部１９とを有する長手のストラップ部材である。ストラップの第１端部１８は、サーフボードリーシュカフバンド２に、カフ体の第１端部１２において、またはそれに近接して固定される。ターニケットストラップ６の第２端部１９は、カフ伸長部９に、その先端部１４において、またはそれに近接して固定される。ストラップ６は、ターニケットカフ中空内部よりも狭い故、ストラップ固定端部１８，１９の間のストラップ部分は、ターニケットカフ１０に対して自由に移動することができる。
【００４８】
図５に最も良く示されるように、ターニケットストラップ６は、カフ体の第１端部１２および伸長する先端部１４の間のカフ体５の長さに沿って延在しており、サーフボードリーシュカフバンド２を超えて第２端部１３から横に延在する部分６Ａを含む。部分６Ａを含むターニケットストラップ６は、カフ体を手足上に配置するとき、ターニケットストラップ６を大腿部またはその他の手足２００の周囲にループするのに十分な長さである。添付図面においては、ストラップ６およびターニケットカフ１０は全体的に平面であるが、ストラップ６、サーフボードリーシュカフ体５、および／または横カフ伸長部９は、代替的に、円形またはその他の断面であってもよい。ターニケットストラップ６、サーフボードリーシュカフ体５、および横カフ伸長部９のサイズは、適用要件に応じて可変であり、典型的な幅は１〜２インチである。
【００４９】
図４に最も良く示されるように、本体の外壁１７は、本体５の長手内部に開口部２０を有しており、本体に配置されるターニケットストラップ６のねじり可能な部分を曝露している。曝露されるストラップ部分は、ターニケットストラップ緊張装置と協働する。図面の実施例において、ストラップ緊張装置は、ウインドラスバー７、またはストラップの曝露されるねじり可能な部分上に、アパチャ２１を介して事前に通されたその他のウインドラス機構である。固定ストラップの第１端部１８および第２端部１９の間のターニケットストラップ６の実質的な長さが、ターニケットカフ１０の長手内部に自由に取り付けられるとき、ストラップ固定端部間のストラップ部分は、全体的に、ストラップ６の長手方向軸に対して全体的に垂直である回転軸を中心に、手動回転式ウインドラスバー７によってねじることができる。この方法において、ターニケットストラップ６が手足２００の周囲にしっかりとループされるとき、回転ウインドラスバー７によってストラップをねじることにより、ターニケットストラップ６が締め付けられ、ループの周囲を減少させる。バーホルダ８は、回転後にバー７を係止することによってねじれたストラップ６を緊張状態の下で保持するためにカフ体５に固定される。バーホルダは、典型的に、カフ体全体の上に縫い付けられるように構成されるが、別の実施例においては、カフの一部または断片にのみ縫い付けられるように構成されてもよい。開口部２０は、好適な手段によって形成することができ、任意の形状およびサイズとすることにより、ウインドラスバー７を手動で操作することによって、ストラップ６をねじることができる。
【００５０】
別の実施例において、ウインドラスバーまたは別のウインドラス機構は、サーフターニケットから分離可能であるように構成される。代替的または付加的に、ウインドラス機構は、伸縮自在のウインドラスバーまたは別の機構である。一実施例において、引き込み可能なウインドラス機構は、必要に応じて、伸長可能であり、かつ引き込み可能であることにより、バー操作モードおよび引き込みモードの間で構成することができるように構成される一連の連動セグメントまたは部分を有する伸縮自在のウインドラスバーである。操作モードにおいて、ウインドラスバーの伸縮自在のセグメントまたは部分は、外方に十分な長さだけ延在し、かつ連動して、ウインドラスバーを手動で操作することにより、ストラップをねじることができる。引き込みモードにおいては、非使用時に、バーの長さが減少し、かつバーがカフ体上またはその他の部分に簡便的に収納され得るように、伸縮自在のセグメントまたは部分は、入れ子状になる。
【００５１】
サーフボードリーシュカフバンドに一体化したターニケットアセンブリは、カフ体５に恒久的に固定されることにより、横カフ伸長部９と、そこに配置されるターニケットストラップ部６Ａとが、アジャスタと係合されることにより、ウインドラスバー７によってターニケットストラップ６を締結する予備として、ターニケットカフ１０およびストラップ６を、手足２００を中心にループ状に閉鎖かつ粗雑に締結するように、ターニケットストラップアジャスタも含む。添付図面に示すサーフターニケット１の実施例において、この特定の実施例においては、コキまたはその他のバックル７であるターニケットストラップアジャスタをカフ体の第１端部１２に固定的に取り付ける。
【００５２】
ターニケットストラップ６および横カフ伸長部９の両者は、装置が手足２００上に配置されるとき、ターニケットカフ１０およびその中のストラップ６を、バックル７を利用して手足２００を中心にループ状に閉鎖するのに十分な長さである。図面のサーフターニケット１の実施例において、バックル７は、カフ体の第１端部１２の反対端縁に沿って縦に取り付けられ、カフ伸長部の先端部１４と協働することによりターニケットカフおよびストラップをループ状に閉鎖するように寸法決めされる。
【００５３】
一実施例においては、ターニケットカフ１０の外壁上の協働する面ファスナ２８と接合するために、面ファスナ２７またはその他のファスナを横カフ伸長部９の外壁上に、その先端部１４において、またはそれに近接して配置する（図４参照）。ファスナ２７，２８は、バックル７を通じて供給されるカフ伸長部９の一部が、ファスナを使用してカフ１０上のトングに沿って固定され得るように、離間している。図４に示すように、一実施例において、面ファスナ２７，２８に加えて、横カフ伸長部およびカフ体の一部の両者の外壁に沿って延在する面ファスナ材料の単一のストリップによって面ファスナ４を併せて設けてもよい。
【００５４】
収容部品は、折り畳み構成において、サーフボードリーシュカフバンド２上に載置し、ターニケットストラップ部６Ａを含む横カフ伸長部９を受容かつ分離可能に収容するように適合かつ配置する。収容部品の一例として、ポケットあるいはスリーブ２３またはその他の開放端収容容器２３が挙げられる。スリーブ２３は、実質的に平面であり、カフ体の第１端部１２と第２端部１３との間のカフ体の内壁１６に沿って長手方向に延在する。スリーブ２３は、例えば、長手方向端縁に沿って縫い合わされた２枚のシート材料から形成され、続いて、スリーブ２３は、カフ体の内壁１６に縫合される。スリーブシート材料は、緩衝作用のためにネオプレン等の合成ゴム等であることができるが、限定されないが、ナイロン、ポリエステル等、またはそのような材料の任意の組み合わせ等のその他の材料であってもよい。
【００５５】
スリーブ２３は、ターニケットカフ１０およびその中のストラップの一部を受容するのに適しており、そのために配置される開口部２４を有する。図面に示すサーフターニケット１の実施例において、スリーブ開口部２４は、カフ体の第２端部１３にほぼ整列しており、かつ、横カフ伸長部９を伸長部の内壁に亘って折り畳むことにより、カフ伸長部の先端部１４をスリーブ開口部２４を通じて供給し、かつ、伸長部９をスリーブ２３内にしまい込むことができるように、本体部分を横断している。図２は、折り畳み構成において、スリーブ２３内に収容されるカフ伸長部９を示す。カフ伸長部９は、伸長部の内壁が内向きである図５に示す伸長部から、内壁が外向きである図２に示す収容位置まで、効果的にひっくり返される。スリーブ２３は、全長またはカフ伸長部９の実質的な長さをスリーブに収容することができるように寸法決めされる。この方法によって、スリーブ２３をサーフボードリーシュカフバンド２上に適合させ、配置することによって、カフバンド２の長さを超過するターニケットストラップ６およびターニケットカフ１０の一部を折り畳み、かつスリーブ２３内に収容することができ、それにより、ターニケットアセンブリによって妨害されることなく、かつ、サーフボードリーシュカフバンドが足首の周囲に配置される際に顕著に見えることなく、サーフボードリーシュカフバンドの通常使用が可能となる。
【００５６】
更に、カフ伸長部９を充填したスリーブ２３は、クッションまたは詰め物として資する。一実施例において、図１および図３に示すように、カフバンドが閉鎖装置３，４によって足首の周囲に閉鎖されるとき、スリーブ２３が、足首の周囲を３６０°に亘って延在する完全なクッションを形成するように、収容スリーブ２３は、カフ体５の十分な長さに沿って延在する。更にクッション性を高めるために、一実施形態において、スリーブ２３は、ネオプレンスリーブまたはその他の合成ゴムあるいはその他の材料から製造したスリーブを備える。一実施例において、スリーブ２３は、ナイロン、ポリエステルまたは別のストラップ材料から製造され、スリーブの内部または内壁上にクッションバッキングを有する。例えば、スリーブ２３は、シートベルトウェビングにおいて使用されるような、ナイロンまたはポリエステルウェビング等のウェビング材料から製造され、スリーブ２３の内壁にユーザの肌に対するクッションとしてネオプレンバッキングの部分を有する。
【００５７】
別の実施例において、収容スリーブは、長さが減少しているが、足首の周囲に実質的なクッションを形成するか、または足首の周囲に実質的なクッション未満のもののみを形成し得る。別の実施例において、スリーブ２３は、カフ体５の外壁１７上に載置される。
【００５８】
一実施例において、収容されるカフ伸長部の内壁をスリーブの内壁に固定するために、面ファスナまたはその他の形態のファスナ２９は、横カフ伸長部９の内壁上と、スリーブ２３の内壁に配置される。カフ伸長部９は、カフバンドに別の方法によって固定される。
【００５９】
別の実施形態において、スリーブまたはその他の開放端部容器以外の収容区画が想定される。例えば、ターニケットストラップを収容するために、ジッパーまたは材料のフラップを採用する。一実施例において、ターニケットストラップ部分は、通常および緊急事態における使用を可能とするジッパー区画内にしまい込まれてもよい。別の実施例において、ターニケットストラップ部分は、代替的または付加的に、重なり合う材料のフラップ内にしまい込まれてもよく、これは通常および緊急事態において使用することができる。
【００６０】
実施例から分かるように、上述した方法によりターニケットアセンブリおよび収容スリーブまたはその他の収容区画をサーフボードカフバンドに一体化することによって、サーフターニケットを、横カフ伸長部およびストラップがスリーブまたはその他の収容区画内に収容され、サーフターニケットが、サーフィンにおいて通常使用するためのサーフボードリーシュカフバンドとして機能するサーフボード保持操作モードと、ターニケットカフ伸長部およびストラップがスリーブまたはその他の収容区画から除去され、サーフターニケットが閉鎖したループ状ターニケット医療装置として機能するターニケット操作モードとの間に構成することができる。
【００６１】
サーフターニケットは、サメによる襲撃、または、サーファー、ブギーボーダー、またはスイマーによって生じ得るその他の潜在的に致命的な負傷の際における応急手当へのアクセス可能な手段の保有における問題を解決する。ターニケットは、壊死の症状が現れるまでに数時間にわたり着用され得ることが証明された。この適用により、初心者のサーファーから旅行中のサーファーまで全員に、自己救急法または戦友救急法を実施し、適切かつタイムリーに適用された場合、第一応答者および医療補助員に、患者を処置し、救出するチャンスを与えるための媒体を提供する。
【００６２】
一実施例において、サーフターニケット１を組み立てるための部品のキットを提供する。サーフボードリーシュカフバンド２、ストラップ緊張装置１１、ターニケットストラップ６、および収容部品２３は、部品のキットを組み立てて、サーフボードアクセサリを提供するための指示マニュアルと共にボックスまたはバッグにおいて提供される。
【００６３】
同様の、または少なくともいくつかのサーフターニケット１の利点を有するサーフターニケットの別の実施形態が想定される。例えば、添付図面のサーフターニケットにおいて、ターニケットストラップは、本質的に、ターニケットカフ内においてほぼ視界から隠れた内部ストラップである。しかしながら、別の実施形態において、ターニケットストラップは、より見えていてもよい。一実施形態において、ターニケットストラップは、ターニケットカフ内に収容される内部ストラップとなる代わりに、カフの長さに沿って、長手方向に配置されるループによってターニケットカフの外壁または内壁上に載置されてもよい。
【００６４】
サーフターニケットの更に別の実施形態において、いくつかのストラップ孔部が内的にサーフボードリーシュコネクタの下を走行する。
【００６５】
横カフ伸長部材は、別の方法により、収容部品上またはその中に収容することができる。例えば、一実施形態において、収容部品は、スリーブまたはポケットではなく、カフ体上に取り付けられる１つ以上のクリップまたはファスナであってもよい。
【００６６】
更に別の実施形態において、ストラップ緊張装置は、ウインドラスバーではなくラチェット緊張機構であることができる。ラチェット機構は、ターニケットストラップと係合し、ターニケットストラップの周囲を短く、または長くして、ストラップループを締め付けるか、または緩めることにより、手足の周囲の周囲圧力を増加または低下させるように操作することができるように配置される。別の実施例において、上述した従来のラチェットシステムとは異なる留め金または円形ウインディングラチェットシステムを採用することもできる。
【００６７】
更に別の実施形態において、カフ体がターニケットストラップを載置する一方で、横カフ伸長部の一部またはその全体を省略してもよい。そのような実施形態においては、ターニケットストラップおよびストラップアジャスタを適用して、直接的に相互に係合することにより、カフを手足の周囲全体に亘って延在させることなく、ストラップをループ状に閉鎖する。
【００６８】
更に別の実施形態においては、ストラップアジャスタが省略され、横カフ伸長部材を有する、または有しないターニケットストラップがカフ体上に載置される。ターニケットストラップは、対向する先端部を有しており、これらは自由端であり、カフ体の対応する対向端部から延在することができる（即ち、ターニケットストラップの端部１７，１８は、カフ材料に固定されていない）。ターニケットストラップをウインドラスによって締結するためにループ状に閉鎖することは、ストラップの自由端を併せて固定することによって達成することができる。
【００６９】
次に、添付図面を参照して、一実施形態によるサーフターニケットの操作方法を説明する。
【００７０】
サーフボード保持操作モード−非緊急時
サーフターニケット１のサーフボード保持時の使用または非緊急時の使用の間、サーフターニケット１は、上述したように、かつ図１〜図３に示すように、ストラップ部分６Ａを含むターニケットカフ１０がスリーブ２３内に収容されるサーフボード保持構成にある。サーファーがサーフターニケット１をサーフボード保持のために使用したい場合を想定すると、サーファーは、サーフボードリーシュの一端部をサーフボード（図示せず）に取り付けて、リーシュによって保持する。ユーザは、リーシュコードの他端をサーフターニケット１に、カフ体のコード取付部２５を介して取り付ける（リーシュが既に恒久的に取り付けられている場合を除く）。
【００７１】
サーファーは、サーフターニケット１を、足首に面するスリーブ２３および本体の内壁１６をユーザの肌に対して配置する。カフ体の第１端部１２およびバックル７を掴みながら、ユーザは、カフバンドを足首１００の周囲に締め付け、カフ体の第１端部１２および第２端部１３を面ファスナ３，４を使用して併せて固定することによって閉鎖したループを足首の周囲に形成する（図３参照）。結果的に、スリーブ２３は、足首１００を包囲し、収容スペースを提供し、かつ、実質的に３６０°に亘る緩衝作用を付与するループの内側に配置される一方、ウインドラスバー７は、カフ体の外壁１７上のループの外側のバーホルダ８に収容され、ターニケットストラップ６は非緊張状態となる。ユーザは、必要に応じて、カフ体５に取り付けられるリーシュを引っ張ることにより、固定具合を確認し、カフ体の第１および第２端部上の面ファスナを調整して、ループのサイズを調整する。サーフターニケットは、サーフィン中に、ターニケットアセンブリにより何ら妨害されることなく、リーシュを介してサーフボードをサーファーの足首に保持するためのサーフボードカフバンドとして機能する。
【００７２】
ターニケット操作モード−緊急事態
緊急時には、サーフターニケットを使用して、サーファーの手足または他人がサメの襲撃により負傷した結果として、例えば手足からの大量出血を塞ぐ。最初に、サーフターニケット１がサーフボード保持モードにおいて操作されており、図３において示すように、サーファーの足首の周囲に閉鎖されている場合を想定する。サーフターニケット１をターニケット装置として利用するために、ユーザ（サーファーまたはその他の人）は、最初にサーフターニケット１をサーフボード保持操作モードからターニケット操作モードに変更しなければならない。この目的のために、ユーザは、手動で面ファスナ３，４を開口し、カフ体の第１端部１２および第２端部１３を相互から分離し、サーフターニケット１を足首１００から取り外す。片手でスリーブ開口部２４から突出するターニケットカフの一部を掴みながら、ユーザは、収容されたターニケットカフ伸長部９を完全にスリーブ２３の外に引くことにより、例えば図４および図５に示すように、ターニケットおよびその中のストラップはサーフボードリーシュカフ体を超えて横に延在可能となる。次に、ユーザは、サーフターニケット１を、ターニケットカフ１０の内壁を出血している手足２００に面して、ユーザの肌に対して、かつ負傷した手足領域の上に配置する。カフバンド体の第１端部１２およびバックル７を掴みながら、ユーザは、ターニケットカフ１０を手足の周囲に引っ張り、ターニケットストラップ部６Ａを含めて、バックル７を通じてカフ伸長部９の先端部１４を供給し、ターニケットカフ１０およびストラップ６を、負傷部位上で手足の周囲にループ状に閉鎖する。
【００７３】
ウインドラスバー７を使用して、ターニケットストラップ６の締め付けを準備しながら、ユーザは、更に、バックル９を通じてカフ伸長部９を引くことにより、ターニケットカフループを手足の周囲に乱雑に締め付け、続いて、カフ外壁上の面ファスナ２７，２８を接合することにより、カフ伸長部９をターニケットカフ１０上に固定する。例えば図６に示すように、緊急事態における閉鎖モードに配置されたサーフターニケット１において、ユーザは、ウインドラスバー７をバーホルダ８から解放する。続いて、ユーザは、バー７を、全体的にストラップ６の長手方向軸に垂直な回転軸を中心にねじって、ストラップ６をねじり、更に、ストラップループを手足の周囲に徐々に締め付ける。ループを手足の周囲に更に締め付けることにより、ストラップループの周囲を減少させることによって、足首の周囲の周囲圧力を増加させ、傷からの流血を塞ぐ。バーを回転させることにより、ストラップを更に締め付けると、周囲圧力が増加する一方、バーにおける反対方向への回転は、ストラップを緩め、周囲圧力を低下させる。
【００７４】
一旦、ユーザがターニケットストラップを緊張調整して所望の周囲圧力を達成し、傷からの大量出血を防ぐと、ユーザは、例えば図６に示すようにウインドラスバー７をバーホルダ９に配置して、バーを収容し、設定した周囲圧力量において固定する。続いて、必要に応じて、ウインドラスバー７をバーホルダ８から分離し、必要に応じて、ゆっくりと解放または更に締め付ける。
【００７５】
上述した代替的または付加的な実施形態のサーフターニケットの操作方法は、上述したサーフターニケット１の操作方法に類似している。
【００７６】
次に、添付図面を参照して、サーフターニケットの製造方法を説明する。ターニケットストラップ６は、ナイロンまたはその他の材料の連続するシートまたはコードから形成する。サーフボードカフバンド５および横カフ伸長部９は、ナイロンまたはその他の材料の連続するストリップまたはシートから形成されてもよい。中央長手方向軸に沿って折り畳まれると、一対の長手方向に隣接する第１および第２シートパネルが提供させる。第１パネルは、ターニケットカフ１０の内壁材料であり、即ち、カフバンド体５および横カフ伸長部９の両者の内壁材料である。第２パネルは、ターニケットカフ１０の外壁材料であり、即ち、カフバンド体５および横カフ伸長部９の両者の外壁材料である。パネルの周囲は、折り畳まれる前または後のいずれかに、内壁および外壁の所望の形状に切断される。併せて閉じられたシートパネルを折り畳んで、カフバンド体５および横伸長部を形成する前に、第２シートパネルにおいて開口部２０を切断し、これがカフ体外壁１７として資する。
【００７７】
ウインドラスバー７は、ターニケットストラップ５上に縫い付けられ、ストラップは、第１シートパネル上に折り畳まれる第２シートパネルの内側の長さに沿って長手方向に配置される。ストラップ５は、開口部２０を、開口部２０を超えて延在するストラップの第１端部１８と橋渡しするように配置し、第２パネルの端部と開口部２０を通じて押し出されたウインドラスバー７とに位置付ける。ストラップにおいて、内部ストラップ用に、ウインドラスバーに接続するための孔部または切欠き部を必ずしも切断する必要はない。ウェビングが１つではなく２つの部分に亘って折り畳まれていない領域における短距離の離間を防ぎ、続いて、ウインドラスバーおよび固定ホルダの後に、そのようなウェビングが再開する。一実施例において、開口部２０を切断するのではなく、パネルが閉鎖するように折り畳まれるとき、第２パネル開口領域が、被覆されずに、開口部２０として資する第１パネルの対応する部分から離間するように、第２パネルは既に開口領域を有することができる。
【００７８】
ストラップの両端部１８，１９は、第２シートパネルの対向端部にステッチされる。続いて、一対のシートパネルは、長手方向端縁に沿って、好適な糸を使用してステッチされるか、または縫い合わせられて、固定された対向端部１８，１９の間のストラップ部分が、パネル間に長手方向に配置され、自由に移動できるように、２つのパネルの間に十分な中空の内部を設ける。
【００７９】
バックル７は、ナイロン材料等のステッチされた材料を使用して、カフ体の第１端部１２に取り付けられる。収容スリーブは、長手方向側面に沿って、かつ対向端部における開口部を離れる一端部においてステッチされたウェビング材料またはその他の材料の２枚のシートから形成する。長手方向端縁および閉口端部を縫い合わせる。ネオプレンまたはその他の緩衝性の裏地材料をスリーブ２３の内壁に沿ってステッチする。続いて、結果として得たスリーブ２３をカフバンド体５の内壁１６にステッチして、スリーブをカフ体上に載置する。
【００８０】
前述した製造方法は、サーフターニケット１を製造するための多数の異なる方法のうちの１つである。上述した代替的または付加的な実施形態のサーフターニケットの製造方法は、上述したサーフターニケット１の製造方法と同様である。例えば、付加的な実施形態を含む別の態様を、図１０〜図４２を参照して、以下に記載する。図１０〜図４２に記載の実施形態を使用して、普遍的に、大量出血が生じ得る肢体上の切断、擦過傷、またはその他の負傷部位上に圧力を発生させることができる。装置は、ブレスレット、アンクレットとして着用するか、または体の任意の部分の周囲に着用することができる。装置は、ハイキング、ランニング、スポーツイベント、狩猟、または負傷する可能性がある任意の他の状況において生じる任意の負傷状況において、救急隊員が遠く離れている場合に使用することができる。本発明は、個人がターニケットを必要とする戦場または軍事用途において、使用することができる。本発明の装置は、ターニケットを展開して使用する必要があるまで、肢体の周囲に着用すること、または個人で収容することができる。従って、本発明の装置は、リーシュまたはテザー用のインタフェースを含む必要はないが、本明細書に記載のいくつかの実施形態は、そのようなインタフェースを含む。
【００８１】
全体的に、図１０〜図３０の実施形態は同様の本体部分を含むが、各装置は、特有のウインドラス装置および／またはウインドラス固定装置を含むことができる。更に、ウインドラス装置の個々の部品は、交換または上述したように組み合わせることができる。いくつかの実施形態において、同一の技術装置において、一ウインドラス装置が故障した場合にバックアップまたは冗長性を付与する複数のウインドラス装置を使用することができる。
【００８２】
次に、図１０〜図１３に、別の実施形態によるターニケット装置１００を示す。いくつかの実施形態において、ターニケット装置１００は、メッシュまたはナイロン材料から製造することができる第１帯状材（本体）１０２Ａを備える。第１帯状材１０２Ａは、任意の材料または、レザー、織物、ゴム等の弾性材料、またはその他の類似する材料等の材料の組み合わせから製造してもよい。第１帯状材１０２Ａは、長手方向軸Ｘを有する。
【００８３】
第２帯状材１０２Ｂは、第１帯状材１０２Ａに重なり、長手方向軸Ｘに沿って延在する。第２帯状材１０２Ｂは、第１帯状材１０２Ａと同様に、任意の１つ以上の材料から製造することもできる。
【００８４】
装置１００は、全体的に管状ハウジング１０６および一対のハンドル１０８，１１０を備えるウインドラス装置１０４を備える。ウインドラス装置１０４は、第２帯状材１０２Ｂに連結される。一実施形態において、第２帯状材１０２Ｂは、管状ハウジング１０６を通じて縫い付けられるか、通過する。
【００８５】
管状ハウジング１０６は、第１端部１１２および第２端部１１４を含み、いずれも、係止チャネル１１６および係止チャネル１１８等の係止チャネルを備える。
【００８６】
一対のハンドル１０８，１１０は、いずれも、管状ハウジング１０６内に挿入するように寸法決めされる。一実施形態において、一対のハンドル１０８および１１０は、それぞれ、突出部１２０および突出部１２２等の突出部を含む。
【００８７】
一対のハンドル１０８および１１０を管状ハウジング１０６において係止するため、一対のハンドル１０８および１１０は相互に向けて押し出され、管状ハウジング１０６と整列する。突出部１２０および１２２は、係止チャネル１１６および係止チャネル１１８に、それぞれ係合する。ハンドルの突出部が係止チャネルの係止区画において休止するまで、一対のハンドル１０８および１１０はそれぞれ、ねじられる。例えば、突出部１２０は、係止チャネル１１６の係止区画１２４内に係止される。
【００８８】
一実施例において、係止チャネル１１６は、ユーザによって十分なトルクがハンドル１０８に加わるまで、係止区画１２４における突出部１２０の係止状態を保持するように係止区画１２４に近接して狭まる。
【００８９】
ハンドル１０８の係止状態が解除されると、突出部１２０は、係止チャネル１１６内に上方に移動され、ハンドル１０８は、管状ハウジング１０６から延在することができる。
【００９０】
一実施形態において、ハンドル１０８および１１０は、それらの間のバネによって弾性的に偏向され、管状ハウジング１０６内に配置される。ハンドルが係止解除されると、バネ（図示せず）は、ハンドルを伸長位置（図１１参照）に移動する。
【００９１】
ウインドラス固定部材１２６は、装置１００に連結される。ウインドラス固定部材１２６は、裏向きクリップ１２８および表向きクリップ１３０を含むほぼＣ字形状のブラケットを備える。
【００９２】
操作時において、肢体を負傷した場合、装置１００をユーザの肢体を中心に包囲することができる。展開前、ウインドラス装置１０４は、収容構成（図１０）に配置されており、この場合、ハンドル１０８および１１０は、係止モードとして配置される。
【００９３】
ウインドラス装置１０４は、１つ以上のハンドル１０８および１１０を係止解除して、それらを伸長させることによって、伸長位置に移動される。一旦展開されると、ユーザがウインドラス装置１０４を巻くことで第２帯状材１２０Ｂがねじれ、これにより、装置１００の直径Ｄの長さが減少する。装置１００の直径Ｄが減少すると、肢体上に圧縮力を働かせ始める。ユーザは、出血が止まるまで、ウインドラス装置１０４を回転させ続けることができる。ウインドラス装置１０４が解けるのを防ぐため、ハンドル１０８または１１０の一方を裏向きクリップ１２８または表向きクリップ１３０のいずれかと係合させる。例えば、ハンドル１０８は、裏向きクリップ１２８または表向きクリップ１３０の間の空間に挿入され、ウインドラス装置１０４を解きたい方向に応じて、裏向きクリップ１２８または表向きクリップ１３０のいずれかに停止する。
【００９４】
図１４〜図１６は、別の実施形態によるターニケット装置２００を示す。この実施形態において、ターニケット２００は、第１および第２帯状材２０２および２０４も、それぞれ含む。装置２００は、管状ハウジング２０８およびハンドル２１０（「伸長部材」とも称する）を備えるウインドラス装置２０６も備える。管状ハウジング２０８が巻かれた際に、第２帯状材２０４がねじれ、かつ締め付けられるように、管状ハウジング２０８を第２帯状材２０４に連結する。
【００９５】
管状ハウジングは、その中に組み立てられた溝２１２を有する内面２０８Ｂを備える。溝２１２は、ハンドル２１０の一部を受容し、保持するように設計される。
【００９６】
いくつかの実施形態において、管状ハウジング２０８は、溝開口部２１４（例えば星形の端部）を備える。蓋の開口部内に挿入されるストローと同様に、ハンドル２１０の端部を溝開口部２１４内に挿入することができるように、管状ハウジング２０８は、強固であるが弾性を有する材料から製造される。
【００９７】
一実施形態において、ハンドル２１０は、２本のアーム２１６，２１８を有するウィッシュボーン形状を有する。２本のアーム２１６および２１８は、相互に離間している。各アーム２１６および２１８に、フレア先端部２２０，２２２等のフレア先端部を、ハンドル２１０の終端部上に設ける。フレア先端部２２０および２２２は、管状ハウジング２０８の内面２０８Ｂ上の溝２１２内にフィットするように寸法決めされる。
【００９８】
フレア先端部２２０および２２２が管状ハウジング２０８内に挿入されると、アーム２１６および２１８は、相互に向けて押し出される。フレア先端部２２０および２２２が溝２１２を包囲するとき、弾性的に偏向されるアーム２１６および２１８は、相互に離間して、フレア先端部２２０および２２２を溝２１２内にスナップすることによってハンドル２１０および管状ハウジング２０８を係止する。
【００９９】
いくつかの実施形態によれば、ハンドル２１０は、装置１００に取り付けられるポーチ２２４に収容することができる。図１０〜図１３の装置１００と同様に、装置２００は、ウインドラス固定部材２２６を備える。
【０１００】
次に、図１７および図１８は、別の実施形態によるターニケット装置３００を示す。また、装置３００は、第１および第２帯状材３０２および３０４を備える。装置３００は、この実施形態においては管状ハウジング３０８および２つのハンドル３１０，３１２を含むウインドラス装置３０６も備える。各ハンドル３１０，３１２は、弾性コードによって管状ハウジング３０８に関連付けられる。例えば、ハンドル３１０は、弾性コード３１４に関連付けられる。
【０１０１】
ターニケット装置３００の非使用時には、ハンドル３１０および３１２は、第１帯状材３０２および第２帯状材３０４の間に収容される。装置３００が必要となると、ハンドル３１０および３１２は、第１帯状材３０２および第２帯状材３０４の間の保管場所から除去される。ハンドル３１０および３１２が管状ハウジング３０８と直線状に整列した状態に引き込まれるように、弾性コードを引っ張る。いくつかの実施形態において、ハンドル３１０および３１２の終端部３１６および３１８は、管状ハウジング３０８の終端部３２０，３２２上にスナップするように構成されることにより、連続的なロッドを形成する。
【０１０２】
別の実施形態と同様に、装置３００が（例えば、ユーザの肢体の周囲に圧縮される）遮断位置に配置されるとき、装置３００は、ウインドラス装置３０６のハンドル３１０および３１２の一方に係合して、第２帯状材３０４およびウインドラス装置３０６が解けるのを防ぐウインドラス固定部材３２４を備える。
【０１０３】
次に、図１９および図２０は、別の実施形態による、ダイヤルウインドラス装置４０２を有するターニケット装置４００を示す。装置４００は、第１帯状材４０４および第２帯状材４０６も、それぞれ備える。
【０１０４】
ダイヤルウインドラス装置４０２は、第２帯状材４０６に関連付けられる。図２０は、バー４１６付近に形成される溝４１４を通じて縫い付けられ、ダイヤルウインドラス装置４０２の裏面から離間した第２帯状材４０６を示す。ダイヤルウインドラス装置４０２は、ハンドル４０８も備える。ハンドル４０８を使用して、ダイヤルウインドラス装置４０２を巻くことができ、これにより第２帯状材４０６をねじることにより、第１帯状材４０４の直径を減少させる。
【０１０５】
ダイヤルウインドラス装置４０２は、ダイヤルウインドラス装置４０２を、ハンドル４０８を必要とすることなく巻くことができるゴム引きのコーティングを含むことができる本体４１０を含む。
【０１０６】
ハンドル４０８は、図１０〜図１８において上述した別の実施形態と同様に、ウインドラス固定部材４１２と係合して、ダイヤルウインドラス装置４０２が解けるのを防ぐように構成する。
【０１０７】
次に、図２１〜図２２は、別の実施形態によるターニケット装置５００を示す。装置５００は、第１帯状材５０２のみを備える。装置５００は、ウインドラス装置５０５も備える。ウインドラス装置５０４は、第１帯状材５０２を受容する溝５１０を形成するように延在するバー５０８を有する管状ハウジング５０６を備える。
【０１０８】
ウインドラス装置５０４は、ハンドル５１２および５１４を備える。図２２において、Ｔ字形状のペグ５１６を備えるハンドル５１２を示す。ハンドル５１４は、アーム５１８および５２０を有するウィッシュボーンまたはピンチャーを有するように形成される。ハンドル５１２および５１４を押し合わせると、Ｔ字形状ペグ５１６は、ハンドル５１４のアーム５１８および５２０の間に挿入される。ハンドル５１４のアーム５１８および５２０は、管状ハウジング５０６の内面５２２によって拡張しないよう維持される。従って、Ｔ字形状ペグ５１６は、ハンドル５１４のアーム５１８および５２０の間に摩擦的にフィットする。
【０１０９】
更に、ハンドル５１２および５１４はいずれも、キャップ５２４および５２６のようなキャップをそれぞれ備える。キャップ５２４および５２６は、いずれも、管状ハウジング５０６の開口端部に亘ってスナップするように構成する。例えば、キャップ５２４は、管状ハウジング５０６の端部５２８に亘ってスナップする一方、キャップ５２６は、管状ハウジング５０６の端部５３０に亘ってスナップする。
【０１１０】
次に、図２３および図２４は、別の実施形態によるターニケット装置６００を示す。装置６００は、第１帯状材６０２および第２帯状材６０４を備える。装置６００は、第２帯状材６０４に関連付けられるウインドラス装置６０６を備える。
【０１１１】
いくつかの実施形態において、ウインドラス装置６０６は、クリップ６０８内にフィットする。クリップ６０８は、本体６１４から延在する支持プレート６１０および６１２を含む。
【０１１２】
いくつかの実施形態において、ウインドラス装置６０６は、ハンドル６１６および６１８を受容する管状ハウジング６１４を備える。ハンドル６１６および６１８は、弾性的に偏向されて、図２４に示すように伸長位置に配置される。ハンドル６１６および６１８を収容位置に配置するため、ハンドル６１６および６１８を管状ハウジング６１４内に押し出す。管状ハウジング６１４およびハンドル６１６，６１８をクリップ６０８内に配置することにより、ハンドル６１６および６１８の端部は、支持プレート６１０および６１２と係合し、ウインドラス装置６０６を収容位置に係止する。
【０１１３】
装置６００を使用するために、管状ハウジング６１４およびハンドル６１６，６１８をクリップ６０８から除去する。管状ハウジング６１４およびハンドル６１６，６１８を除去することにより、ハンドルは自動的かつ弾性的に管状ハウジング６１４から伸長位置内に延在する。上述した別の装置と同様に、ハンドル６１６および６１８を使用して、管状ハウジング６１４を回転することができ、その代わりに、第２帯状材６０４をねじる。ハンドル６１６および６１８の一方は、必要に応じて、ウインドラス固定部材６２０に係止することができる。
【０１１４】
図２５〜図２７は、別の実施形態によるターニケット装置７００を示す。装置７００は、第１帯状材７０２および第２帯状材７０４、ウインドラス装置７０６並びにウインドラス固定部材７０８を備える。
【０１１５】
ウインドラス装置７０６は、２つのハンドル７１０および７１２を受容する管状ハウジング７０８を備える。
【０１１６】
ハンドル７１０および７１２は、管状ハウジング７０８と接合するように成形する。例えば、ハンドル７１０は、大端部７１４から小端部７１６まで先細となるように成形する。
【０１１７】
ハンドル７１２は、ハンドル７１０と同様に大端部７１８および小端部７２０を有するように成形する。使用時において、ハンドルの小端部７１６および７２０は、反対方向に回転され、ハンドルを管状ハウジング７０８内に押し込む。第２帯状材７０４をハンドルの小端部７１６および７２０の間に配置する。別の実施形態と同様に、ハンドル７１０および７１２は、いずれも、管状ハウジング７０８の開口端部と協働するキャップ７２２および７２４のようなャップを有する。
【０１１８】
一実施形態において、管状ハウジング７０８は、第１区画７２６および第２区画７２８を含む。第１および第２区画７２６および７２８は、所望の通り、相互に分離、また元に戻すことができる。
【０１１９】
次に、図２８〜図３０は、別の実施形態によるターニケット装置８００を示す。装置８００は、第１帯状材８０２および第２帯状材８０４、ウインドラス装置８０６並びにウインドラス固定部材８０８を備える。
【０１２０】
ウインドラス装置８０６は、スライドレールハンドル８１０、スライドピンハンドル８１２、およびカバー８１４を備える。ウインドラス装置８０６は、第２帯状材８０４に連結される。スライドレールハンドル８１０は、スライドピンハンドル８１２を受容するように構成される溝８１６を備える。
【０１２１】
操作時には、スライドレールハンドル８１０およびスライドピンハンドル８１２を伸長位置に移動することができる（図３０参照）。ハンドルを使用して、ウインドラス装置８０６を巻くことができる。非使用時には、スライドピンハンドル８１２をスライドレールハンドル８１０の溝８１６内にスライドさせて、スライドレールハンドル８１０およびスライドピンハンドル８１２をまとめることができる（図２８参照）。
【０１２２】
図３１は、ターニケット装置の別の実施形態を示す。ターニケット装置９００は、ベルト９０２、バックル９０３、ウインドラス装置９０４、およびウインドラス固定部材９０６を備える。
【０１２３】
ベルト９０２は、メッシュ、織物、布地、レザーやゴム等の天然製品、または任意の他の好適な材料等のうち任意の１つ以上の材料から製造する。図３３に示すように、ベルト９０２は、連続するストリップ材９１０を受容する内側ポケット９０８を有するように形成する。即ち、連続するストリップ材９１０は、ベルト９０２内に収容される。連続するストリップ材料９１０は、ウインドラス装置９０４に連結される。
【０１２４】
いくつかの実施形態において、連続ストリップ材料９１０は、ウインドラス装置９０４を通じて供給されるウェビング材料（または弾性材料）のストラップである。連続するストリップ材料９１０は、ベルト９０２の一端部内に縫合され、バックル９０３の周囲をループする１本のストリップ材料であることができる。別の実施形態において、連続するストリップ材料９１０は、ベルト９０２の一端部内に縫合され、バックル９０３の周囲をループし、続いてストリップの緩い終端部をストリップ自体に縫合したウェビングのストリップである。
【０１２５】
図３１に戻ると、ベルト９０２は、外側ポケット９１２も備える。ベルト９０２の伸長部９１４は、折り畳むことができ、かつ外側ポケット９１２内に収容して、ベルト９０２の全長Ｌを短縮することができる。
【０１２６】
展開ループ９１４は、バックル９０３と対向するベルト９０２の終端部上に配置する。図３２に示すように、展開ループ９１５が引かれると、伸長部９１５は、外側ポケット９１２から除去されることにより、ベルト９０２の全長Ｌが増加する。装置９００が大腿部等のより大きな四肢用のターニケットとして使用されるとき、ベルト９０２の延長は有利である。
【０１２７】
いくつかの実施形態において、バックル９０３は、プラスチック、ポリマー、金属、合金、樹脂、天然素材、または任意の好適な複合材料から製造することができる。
【０１２８】
また、いくつかの実施形態において、装置９００は、例えば、車または家の鍵を収容するように構成される収容ポケット９７０を備える。ポーチは、クレジットカード、運転免許証またはその他のＩＤを収容するように構成することもできる。収容ポケット９７０は、ベルト９０２上に縫合されるウェビング材料の区画から製造することができる。収容ポケット９７０は、所望の通り、ベルト９０２の任意の部分上に縫合することができる。
【０１２９】
図３４および図３５は、いずれも中間区画９１６、第１アーム９１８、および第２アーム９２０を備えるウインドラス装置９０４を示す。一実施形態において、中間区画９１６は、連続するストリップ材９１０に連結され（図２２参照）、第１アーム９１８は、中間区画９１６の第１端部９２２にピボット接続される。また、第２アーム９２０は、中間区画９１６の第２端部９２４にピボット接続される。
【０１３０】
第１アーム９１８および第２アーム９２０は、図３５に示すように、相互から反対方向にピボット開口する。
【０１３１】
付加的に、第１アーム９１８は、中間区画９１６内に入れ子になるように構成し、また、第２アーム９２０は、第１アーム９１８が内側に入れ子状態にあるとき、中間区画９１６と重なり合い、被覆するように構成する。
【０１３２】
次に、図３６を参照すると、ウインドラス固定部材９０６は、ハブ区画９２６を備える。ハブ区画９２６は、ベルト材料内に一体化される取り付けプレート（図３８の９６４参照）によってベルト９０２に接合される。ウインドラス固定部材９０６は、それぞれが、ウインドラス装置を固定するための係合地点として資するように構成されるフック９２８および９３０を含み、これについては以下に詳述する。
【０１３３】
ハブ区画９２６は、サーフリーシュ９３３（図３３参照）に接続することができるインタフェース９３２（図３７参照）を含む。
【０１３４】
一実施形態において、フック９２８および９３０は、裏向き端部を有する。別の実施形態において、フック９２８および９３０は、相互に異なる方向に延在する。
【０１３５】
次に、図３７を参照すると、装置９００は、ユーザの大腿部９３４の周囲を包囲している。ウインドラス装置９０４を伸長位置において、第１および第２アーム９１８，９２０を展開した状態で示す。ウインドラス装置９０４を使用して、連続するストリップ材９１０をねじる９３６ことにより、装置９００の直径Ｄを減少させて、大腿部９３４に安全なカットオフ圧を発生させる。連続するストリップ材９１０が解けるのを防ぐため、第２アーム９２０をウインドラス固定部材９０６のフック９２８に係合する。
【０１３６】
次に、図３８に、図３１〜図３７のターニケット装置の実施形態の分解図を示す。伸長部９１４は、外側ポケット９１２に収容する前に重ね合わせることができる多様な区画のフックおよびループ材料を含む。例えば、伸長部９１４は、フック材料９４２の第２区画に連結されるループ材料９４０の第１区画を備える。展開ループ９１５は、フック材料９４２の第１区画に連結される。
【０１３７】
ループ材料９４６の第２区画およびグログラン（例えば、リブ状）材料９４８のストリップは、ベルト９０２に取り付けられる。フックおよびループ区画は、固定するために重ね合わせることができ、また、重なり合った伸長部９１４は、外側ポケット９１２に収容することができる。
【０１３８】
また、材料９５０の第３ループ区画をベルト９０２の後方に配置し、この材料９５０は、軽量のネオプレン材料９５２のストリップにも取り付けられている。材料９５０の第３ループ区画、軽量のネオプレン材料９５２、およびベルト９０２の間には、補強材９５８が配置される。補強材９５８は、ＡＢＳ（アクリロニトリル・ブタジエン・スチレン）から製造されるが、その他の形態のプラスチックまたはポリマーも同様に利用することができる。補強材９５８は、下方に圧力を加え、流血を止めるのに役立つ。例えば、補強材９５８は、ウインドラス装置９０４の力を指向することにより、軽量のネオプレン材料９５２を肢体上に締め付けることができる。
【０１３９】
外側ポケット９１２は、伸長部９１４のループ材料９４０の第１区画に取り付けられるループ材料９６２の上側区画から形成する。ループ材料９６２の上側区画および取付プレート９６４の間に、ウェビング区画９５４およびナイロン区画９５６を配置する。インタフェース９３２を取付プレート９６４に接合する。ループ材料９６２およびウェビング区画９５４の両者は、インタフェース９３２の周囲にフィットする開口部を有する。
【０１４０】
一実施形態において、装置９００は、任意の警告ラベルと、適正な使用のための指示を表示し、ユーザに時間情報を記載することができる場所を提供するために使用される記載領域９６０とを備える。例えば、ユーザは、領域９６０に、装置９００を展開し、所望の肢体へのカットオフ循環のために使用した時間を記載することができる。
【０１４１】
いくつかの実施形態において、ウインドラス装置９０４は、非使用時に、ウインドラス装置９０４を保護し、ウインドラス装置９０４が不本意に展開するのを防ぐウェビングまたは弾性材料９７２の任意の区画によって被覆することができる。材料９７２は、容易に引き裂くことができる接着剤または軽量のステッチングによって取り付けることができる。材料９７２は、材料９７２へのアクセスが必要である際には、選択的に除去することができる。
【０１４２】
更に別の実施形態において、ターニケット９００は、代替的に、ゴム紐に取り付けられるダブルループ内部ウェビングから形成されるストラップを有する。ウインドラスバーは、流血が停止するまで、より小さな閉鎖したループを形成するウェビングを締め付けるように構成され、続いて、ストッパに配置することができる。
【０１４３】
図３１〜図３８の装置は、以下の方法に基づいて製造することができる。第１ステップにおいて、ユーザは、端部から端部までが１０インチになるよう、２インチのネオプレン織物片（９５２）を、３インチの２インチ幅のループ材料区画（９５０）と、Balley Ribbon Mills（ＢＲＭ）ウェビングの１インチ区画によって接合することにより、きれいな仕上がりとする。ユーザは、区画を相互に固定的に接続しつつ、可能な限り端縁に近接してステッチすることができる。
【０１４４】
次のステップにおいて、ユーザは、ターニケットハウジングの正面および裏面をステッチング、回転、およびトップステッチＰａｉｈｏ  ＥＴＢ０９型低プロファイルループ（９４０）からＰａｉｈｏ  ＥＴＮ３２Ｃ型低プロファイルフック（９４２）によって組み立てることができる。８．５インチのＲＴＢ０９（９４６）と、１．５インチ幅のグログラン（９４８）をもって、この工程を繰り返す。言うまでもなく、このグルーピングは、頂部よりも僅かに長くなければならない。なぜなら、これが周囲を包囲して、ターニケットの端部にきれいな仕上がりをもたらすからである。
【０１４５】
次に、ユーザは、ターニケット材料の裏側を、上述した最初のステップにおいて接合したネオプレン片にステッチする。ユーザは、非常に小さなボックスステッチまたは複数列のステッチを利用して、これをネオプレンに固定することができる。続いて、ユーザは、ＢＲＭ７４４０ウェビング（９０２）を、連続するストリップ材９１０を受容するポケットを形成するために、ネオプレンの４つの側面全ておよびループを固定して、上述したとおりに接合したネオプレン片にステッチすることができる。
【０１４６】
ターニケットハウジング（９４０および９４２）の上部層において、楕円形状を切断する。連続するストリップ材９１０（例えば、ターニケット材料）をＤリングおよびウインドラス機構９０４を通じて挿入し、続いて、ターニケットの左側に中央折り畳み部を配置する。ユーザは、ターニケット材料の両端部をターニケットハウジングの極右端部に配置する（ターニケット材料は、製品の全体に亘って二重にする）。次に、ユーザは、ターニケットハウジングの上部層を裏層まで、ターニケット材料（連続するストリップ材９１０）をステッチ内に含まないように気を付けながら縫合する。続いて、ユーザは、ターニケット固定部において、正面片、ターニケット材料、および裏地を留めることにより、後続ステップにおいて、ターニケット材料の長さの調整ができる。
【０１４７】
続いて、ユーザは、サーフリーシュスピンドルまたはコネクタ（インタフェース９３２）をターニケットの固定位置に配置することができる。ユーザは、ダイカット１０００デニールナイロン（９５６）と、小さなＢＲＭ７４４０  ２ウェビング片（９５４）とを頂部に配置する。これらの部品は、２つの長いボックスステッチまたはバータックによって固定する。ユーザは、ターニケット材料をいずれかのステッチに含まないように注意すべきである。
【０１４８】
ユーザは、ワイドループ（９６２）の右側に楕円形状を切断し、１インチ幅のＢＲＭ７４４０断面のエンドキャップを、端部に３と４分の３インチ長だけ配置することによりループの端部にきれいな仕上がりをもたらす。ユーザは、ループ（９６２）を、対応する孔部切断部と共にスピンドル（９３２）の頂部に亘って配置して、正確な位置に留める。ユーザは、ループの頂部および底部をウェビングおよびネオプレンに縫合して、固定する。
【０１４９】
続いて、ユーザは、２インチのＢＲＭ７４４０ウェビング（９１０）の端部をＤリングを通じて織り、正確な長さをマークして、ターニケットとして使用する際にウインドラスが回転するのに望ましい間隙を設ける。ユーザは、１インチのＢＲＭ７４４０のエンドキャップをウェビング材料の端部に配置し、続いて、警告ラベル（これは、ターニケットの適用時間を記録するスペースを有する）をウェビングの正面側に配置する。次に、ユーザは、ウェビングをＤリングに亘って折り畳み、ウェビングおよびループを下にステッチする。ユーザは、ターニケットハウジングの極右側にて緊張するターニケット材料を引っ張り、必要な長さまでトリムする。ユーザは、１．５インチのグログラン区画（９４２）を折り返し、頂部をターニケット材料を通じて正面および裏面ハウジングおよび５／８インチのグログラン材料区画（展開ループ９１５）をステッチする。
【０１５０】
続いて、ユーザは、ターニケットハウジングを、上においてポケット９１２と称した２インチ幅のリーシュ区画に折り畳み、かつ詰め込む。最後に、ユーザは、Ｖ字形状のウインドラスストッパ（ウインドラス固定部材９０６）を配置し、そこに固定用のピンを挿入する。
【０１５１】
上述した方法は、単なる装置９００を製造するための方法例であり、別の方法、部品の組み合わせ、または材料を、本発明に従って同様に使用することができることは、言うまでもない。
【０１５２】
いくつかの実施形態において、ウインドラス固定部材９０６は、上述したＶ字形状の部品ではなく、ほぼＣ字形状のフックを備えることができる。Ｃ字形状のフックは、図１０および図１１のウインドラス固定部材のようなウインドラス固定部材と同様に構成することができる。
【０１５３】
図３９は、別の実施形態による別のターニケット装置１０００を示しており、この装置は、メッシュまたはウェブ材料１００６の区画に連結される弾性部分１００４を有するベルト１００２を備える。装置１０００は、それぞれが、図３１〜図３８のウインドラス装置およびウインドラス固定装置に類似しているウインドラス装置１００８およびウインドラス固定装置１０１０も備える。ベルト１００２の一端部上にバックル１０１２を設け、フック材料１０１４の区画をベルト１００２の他端に配置する。装置１０００がユーザの肢体の周囲を包囲するとき、フック材料１０１４は、バックル１０１２を通じて走行することができる。装置１０００は、フック材料１０１４をバックル１０１２を通じて引っ張り、フック材料１０１４をベルト１００２の外側表面に接合することによって、肢体に最初に締めることができる。即ち、ベルト１００２の外側表面にループ材料またはフック材料１０１４と協働することができる材料を設けることにより、装置１０００を肢体の周囲に容易に固定することができる。
【０１５４】
図４０は、肢体を通じた流血を防ぐために空気圧を利用する実施形態によるターニケット装置１１００を示す。装置１１００は、膨張式チューブ１１０４の形態の内部ストラップを受容し、保持するベルト区画１１０２を備える。膨張式チューブ１１０４は、膨張式チューブ１１０４に膨張および／または収縮経路を提供するポート１１０６に連結される。装置１１００は、図３１〜図３８の装置９００の部品と同様に、サーフリーシュと連結するように構成されるインタフェース１１０６も備える。装置１１００は、使用前にベルト区画１１０２の一部を収容するプルタブ区画１１０８も備える。ユーザは、プルタブ区画１１０８を引っ張って、図３１および図３２に示す装置９００と同様に、ベルト区画１１０２を延在させる。
【０１５５】
いくつかの実施形態において、膨張式チューブ１１０４は、ベルト区画１１０２内ではなく、ベルト区画１１０２の外側表面上に配置することができる。
【０１５６】
エンドユーザは、膨張式チューブ１１０４を膨張させるために、ポート１１０６に連結可能なマニュアルポンプを使用することができ、これにより、ユーザの肢体に圧力を加えることによって、装置１１００下の肢体の一部への流血を防ぐ。
【０１５７】
いくつかの実施形態において、膨張式チューブ１１０４は、ベルト区画１１０２の一部１１１２内に形成されるポケット１１１０に収容される。
【０１５８】
装置９００、１０００および１１１２のうちのいくつかの部品がネオプレンを使用している一方、本発明に従って、その他の類似する合成ゴム材料も同様に利用することができる。更に、本明細書に記載した材料は、単なる例示であり、適宜、他の材料を代用することができる。
【０１５９】
図４１は、ラチェットアセンブリ１２０４を備えるウインドラス装置１２０２を備える、更に別の実施形態による別のターニケット装置１２００を示す。装置１２００のリマインダは、図３１〜図３７の装置のリマインダと同様に構成することができる。ラチェットストラップ１２０６は、ラチェットクラスプ１２０８によって膨張するウェビングストリップを含む。一実施例において、ラチェットストラップ１２０４は、ラチェットクラスプ１２０８の周囲に巻き付くウェビング材料のストリップである。ラチェットクラスプ１２０８が起動すると、ラチェットストラップ１２０６の長さは短くなり、ユーザの肢体に圧力を加える。非限定的な例として、ラチェットアセンブリ１２０４は、付随装置と同様に機能する。言うまでもなく、ラチェットクラスプ１２０８が係止位置に折り畳まれるとき、ラチェットクラスプ１２０８は、自身の固定装置としての役割を果たす。即ち、装置１２００は、ウインドラス固定装置を含む必要はないが、ウインドラス固定装置の使用は排除されるわけではなく、バックアップまたは安全装置として使用することにより、装置が展開する際にラチェットクラスプ１２０８が係止解除しないようにすることができる。更に別の実施形態において、装置１２００は、締め付け用のラチェットを有する弾性ストラップを用いてもよい。弾性ストラップは、末端部を封入するように構成する。続いて、ラチェットを操作して、脚の周囲にストラップを締め付けることができる。
【０１６０】
図４２は、ラチェットアセンブリ１３０４を備えるウインドラス装置１３０２を備える、更に別の実施形態によるターニケット装置１３００を示す。装置１３００のリマインダは、図３１〜図３７の装置のリマインダと同様に構成することができる。ラチェットストラップ１３０６は、ラチェットクラスプ１３０８とインタフェース接続するリブ状または溝状のプラスチックストリップを含む。ラチェットクラスプ１３０８をラチェットストラップ１３０６によって横に移動するとき、所望の通りに装置１３００の全長を伸長させるか、または短縮することができる。装置１３００の短縮により、装置１３００は、肢体に圧力を加える。更に別の実施形態において、装置１３００は、装備されたプラスチックストリップおよび対応する締め付け用ラチェットを有するゴム紐バージョンである。ゴム紐により、ウェビングを手足の周囲に包囲する。ラチェットは、トラック締結ストラップに沿って移動する機械的利点を利用する。
【０１６１】
本発明の更に別の態様において、図１〜図４８の装置における任意の１つ以上の上述した実施形態を組み立てるための部品のキットを提供する。部品のキットは、特定の装置の上述した部品と、任意にボックスまたはバッグと、該装置を部品のキットから組み立てるための指示マニュアルとを備える。装置の部品および指示マニュアルは、前記ボックスまたはバッグ内にて運搬される。図４３〜４８は併せて、例示的なターニケット装置１４００を示す。ターニケット装置１４００を、本明細書において「着用可能位置」と称する収容位置にて示す。着用可能位置において、ターニケット装置１４００は、個人の足首の周囲に包囲することができ、図４７および図４８に示すように、ターニケット装置１４００は、サーフボードリーシュ１４０２と組み合わせて使用することができる。
【０１６２】
いくつかの実施形態において、ターニケット装置は、個人が肢体を負傷した際に展開することができる固定ストラップ１４０６を収容または隠すターニケットストラップ１４０４を備える。ターニケット装置１４００を使用して、肢体を圧縮し、そこからの失血を防ぐことができる。
【０１６３】
いくつかの実施形態において、ターニケットストラップ１４０４は、ネオプレン等の弾性材料から製造される。別の実施形態において、ターニケットストラップ１４０４は、布地または複合材料等の異なる材料から製造することができる。ターニケットストラップ１４０４は、外向き面１４０７および内向き面１４０８を備える。外向き面１４０７は、ターニケット装置１４００が肢体の周囲を包囲する際の、肢体から外向きのターニケット装置１４００の部分である。内向き面１４０８は、ターニケット装置１４００が肢体の周囲を包囲する際の、肢体に接触するターニケット装置１４００の部分である。
【０１６４】
いくつかの実施形態において、外向き面１４０７は、少なくとも部分的または全体的に、複数のフックファスナ１４１０を設けるか、または被覆されてもよい。例えば、複数のフックファスナ１４１０の半分は、Velcro（登録商標）固定システムである。
【０１６５】
ターニケットストラップ１４０４は、第１端部１４１２および第２端部１４１４を有しており、これらは相互に離間している。いくつかの実施形態において、複数のフックファスナ１４１０は、第１端部１４１２に近接して配置される。
【０１６６】
第１および第２端部１４１２，１４１４は、第２全長Ｌ１を画定するように相互に離間している。Ｌ１は、収容位置におけるターニケット装置１４００の長さに関連付けられる。
【０１６７】
ターニケットストラップ１４０４は、第１端部１４１２上に配置されるバックル１４１６を含む。バックル１４１６は、プラスチック、ポリマー、金属、複合物、または当業者にとって、本発明以前から既知のその他の本発明において好適な材料等の任意の好適な材料から製造することができる。ターニケット装置１４００のいくつかの実施形態および／または任意の他のターニケット装置の本明細書に記載の実施形態において、バックルは、固定フレームバックル１４１６の代わりに、第１端部に、またはその周囲に縫合されるか、または固定的に取り付けられるウェビング等のループ材料であることができ、また、第１端部自体、即ち、ストラップ材料自体に形成されるスロットに一体化することができる点に留意すべきである。
【０１６８】
いくつかの実施形態において、ターニケット装置１４００は、サーフリーシュを受容することができるインタフェース１４１８を備える（図４８参照）。別の実施例において、インタフェース１４１８は、図３６に示すウインドラス固定部材９０６等の基台を受容することができる。
【０１６９】
第２端部１４１４は、固定ストラップ１４１６が収容構成に配置されるとき、固定ストラップ１４１６を収容するキャビティ１４２４を形成するように構成する（図４３および図４４参照）。
【０１７０】
固定ストラップ１４０６は、弾性材料から製造される。固定ストラップ１４０６は、キャビティ１４２４内のターニケットストラップ１４０４に固定的に取り付けることができる。一実施形態において、固定ストラップ１４０６は、キャビティ内に線Ａに沿って縫合される。
【０１７１】
固定ストラップ１４０６は、終端部１４２６を備える。終端部１４２６上にプルタブ１４２８を設け、プルタブ１４２８を使用して、図４７および図４８に示すように、固定ストラップ１４０６を展開構成に伸長させることができる。これについては、以下により詳述する。
【０１７２】
図４６に、第１区画１４２０および第２区画１４２２に分割された内向き面１４０８を示す。第１区画１４２０の表面上に複数のループファスナ１４２３を設ける。第２区画１４２２は、ネオプレン材料（または弾性材料）を含む区画であり、これにより、ターニケットストラップ１４０４は伸展し、肢体の直径を収容することができる。即ち、ターニケットストラップ１４０４は、どの足首サイズにも使用することができる。
【０１７３】
複数のループファスナ１４２３は、外向き面１４０７上の複数のフックファスナ１４１０と係合して、着用可能位置／構成におけるターニケット装置１４００を個人の足首の周囲に分離可能に固定する。
【０１７４】
図４５および図４６に、伸長モード／位置に配置された固定ストラップ１４０６を示す。固定ストラップ１４０６の面１４３０に、複数のループファスナ１４３２を設ける。複数のループファスナ１４３２は、ターニケットストラップ１４０４の外向き面１４０７上に配置される複数のフックファスナ１４１０に接合する。
【０１７５】
固定ストラップ１４０６が伸長位置に配置されるとき、ターニケット装置１４００は、第２全長Ｌ２を有する。言うまでもなく、ターニケット装置１４００が収容位置／収容モードに配置されるとき、第２全長Ｌ２は、第１全長よりも長い。
【０１７６】
言うまでもなく、いくつかの実施形態において、固定ストラップ１４０６は、固定ストラップ１４０６の一部を折り畳むか、ターニケットストラップ１４０４のキャビティ内にフィットするよう適用するのに必要となる長さを有する。プルタブ１４２８を使用して、固定ストラップ１４０６を伸長させるとき、キャビティ内に配置される固定ストラップ１４０６の一部は、展開され、装置の第２全長Ｌ２は増加する。
【０１７７】
別の実施形態において、固定ストラップ１４０６を収容位置から伸長位置に変位させることによって、ターニケット装置１４００を第２全長Ｌ２まで延在させる。固定ストラップ１４０６はキャビティの内側に取り付けられており、かつ固定ストラップ１４０６は弾性材料から製造されるため、プルタブ１４２８を引くことにより、伸長位置まで変位させることができる。ユーザがプルタブ１４２８を解放すると、固定ストラップ１４０６は、収容構成／位置に弾性的に戻る。
【０１７８】
図４８は、個人の足首に取り付けられたターニケット装置１４００を示す（例えば、着用可能構成）。この実施形態において、ターニケット装置１４００は、ターニケットストラップ１４０４を足首の周囲に包囲し、内向き面１４０８上の複数のループファスナ１４３２（図４５および図４６参照）を外向き面１４０７上の複数のフックファスナ１４１０に重ね合わせることによって、足首に取り付ける。多様な部分（または全体）におけるフックファスナ１４１０の展開により、外向き面１４０７は、ターニケット装置１４００が多様なサイズの足首を収容することができるように機能する。足首のサイズが増加すると、複数のループファスナ１４３２は、外向き面１４０７上の複数のフックファスナ１４１０の端部（例えば第１端部１４１２）付近の取付部に向く。ターニケット装置１４００がサーフリーシュに連結する必要がない場合、内向き面１４０８上の複数のループファスナ１４３２は、重なり合い、かつインタフェース１４１８を被覆してもよい。
【０１７９】
図４３〜図４８に戻ると、肢体を負傷したとき、ターニケットストラップ１４００を使用して、選択的に負傷した肢体への流血を防ぐことができる。一実施形態においては、ターニケットストラップ１４００を個人の足首から取り外し、またプルタブ１４２８を使用して、固定ストラップ１４０６をターニケットストラップ１４０４内で展開する。ターニケットストラップ１４０４を、負傷部位から一定距離の上方の肢体上に配置する。
【０１８０】
プルタブ１４２８は、バックル１４１６を通じて縫い付けられ、プルタブ１４２８は、内向き面１４０８の方向に後方に引っ張られる。プルタブ１４２８を使用して、固定ストラップ１４０６を肢体の周囲に包囲する。肢体の周囲の固定ストラップ１４０６の連続する各ループによって、ターニケット装置１４００は、肢体の周囲を締め付けて、負傷領域１４５０への流血を防ぐ。所望のレベルの圧縮に達すると、固定ストラップ１４０６のループファスナ１４３２は、ターニケットストラップ１４０４の外向き面１４０８上の複数のフックファスナ１４１０に取り付けられる。
【０１８１】
有利には、ユーザは、ターニケット装置１４００を、サーフィン中にサーフボードを保持するためのサーフボードリーシュとして使用することができ、制御不能な極度な流血時には、収容されたターニケット装置１４００を伸長させて、それを使用して肢体の流血を停止することができる。そのために、ユーザは、ターニケットストラップ１４０４を足首の周囲から取り外し、固定ストラップ１４０６を収容場所から引っ張り、固定ストラップ１４０６をターニケットストラップ１４０４の対向端部上のバックルを通じて供給し、固定ストラップを固定ストラップ収容端部に向けて締め付け、固定ストラップを可能な限り多くの回数だけ、可能な限りきつく肢体の周囲に包囲し、続いて、固定ストラップをターニケットストラップの定位置に固定する。
【０１８２】
別の実施形態において、相補型の面ファスナを利用するのではなく、ターニケット装置１４００は、ボタンやスナップ、クリップ、ボタン、および当業者にとって、本発明よりも前から既知のその他の固定手段を利用することができる。更に別の実施形態においては、ターニケットストラップ１４００をゴム紐に取り付けられるダブルループ内部ウェビングによって形成する。ウインドラスバーは、血流が停止するまで、より小さな閉鎖ループを形成するウェビングを締め付けるように構成することにより、続いて、ストッパに配置可能となる。
【０１８３】
更に別の実施形態において、ターニケット装置１４００は、端部に縫合されないウェビングを有する弾性ストラップバージョンである。Velcroをウェビング片内に縫合しゴム紐を取り付ける。通常通り、全てを折り畳み、かつ収容領域に収容する。更に別の代替的な実施形態においては、上述した図１〜図４２の実施形態の特徴を含むターニケット装置を提供する。しかしながら、緊張装置を利用するのではなく、緊張装置を省略して、相補型の面ファスナ、または、ボタンやスナップ、クリップ、ボタン、および当業者にとって本発明以前から既知のその他の固定手段等の代替的なファスナを、ターニケット装置１４００上に設けられるファスナと同様の方法によりターニケット装置上に設けることで、ターニケットストラップを肢体の周囲に締め付けることができ、ファスナによって固定することができる。
【０１８４】
更に別の実施形態においては、サーフボードリーシュの代わりに、ブギーボードリーシュ（ボディーボードリーシュとしても既知）を、上述し、かつ本明細書に図示した実施形態のターニケット装置に連結する。
【０１８５】
本発明の好適な実施形態を詳細に記載かつ図示したが、実施形態に多くの修正を加え得ることは言うまでもない。また、実施形態間の特徴は、本発明の精神から逸脱することなく、相互に交換することができる。
【図１】
2018502014.tif 000003
【図２】
2018502014.tif 000004
【図３】
2018502014.tif 000005
【図４】
2018502014.tif 000006
【図５】
2018502014.tif 000007
【図６】
2018502014.tif 000008
【図７】
2018502014.tif 000009
【図８】
2018502014.tif 000010
【図９】
2018502014.tif 000011
【図１０】
2018502014.tif 000012
【図１１】
2018502014.tif 000013
【図１２】
2018502014.tif 000014
【図１３】
2018502014.tif 000015
【図１４】
2018502014.tif 000016
【図１５】
2018502014.tif 000017
【図１６】
2018502014.tif 000018
【図１７】
2018502014.tif 000019
【図１８】
2018502014.tif 000020
【図１９】
2018502014.tif 000021
【図２０】
2018502014.tif 000022
【図２１】
2018502014.tif 000023
【図２２】
2018502014.tif 000024
【図２３】
2018502014.tif 000025
【図２４】
2018502014.tif 000026
【図２５】
2018502014.tif 000027
【図２６】
2018502014.tif 000028
【図２７】
2018502014.tif 000029
【図２８】
2018502014.tif 000030
【図２９】
2018502014.tif 000031
【図３０】
2018502014.tif 000032
【図３１】
2018502014.tif 000033
【図３２】
2018502014.tif 000034
【図３３】
2018502014.tif 000035
【図３４】
2018502014.tif 000036
【図３５】
2018502014.tif 000037
【図３６】
2018502014.tif 000038
【図３７】
2018502014.tif 000039
【図３８】
2018502014.tif 000040
【図３９】
2018502014.tif 000041
【図４０】
2018502014.tif 000042
【図４１】
2018502014.tif 000043
【図４２】
2018502014.tif 000044
【図４３】
2018502014.tif 000045
【図４４】
2018502014.tif 000046
【図４５】
2018502014.tif 000047
【図４６】
2018502014.tif 000048
【図４７】
2018502014.tif 000049
【図４８】
2018502014.tif 000050
【国際調査報告】
2018502014.tif 000051